(57)【要約】【課題】筐体の小型化に伴って貯湯タンクの容量が減少し、湯切れが生じやすくなり、使用者がお湯を使用できない事態が発生しやすくなる。【解決手段】圧縮機２１と形状を四角柱とする貯湯タンク３０とを仕切り板１１の左右方向に設置し、貯湯タンク３０の重心位置３０Ａを筺体１０内の中心１０Ａよりも他方側となるように配置する。さらに、貯湯タンク３０は空気冷媒熱交換器２３の少なくとも一部を筐体１０の後方側に配置し、貯湯タンク３０の一部が空気冷媒熱交換器２３よりも筺体１０の後方側に突出するように配置した。【選択図】図３
2007183054.tif 000002
【特許請求の範囲】
【請求項１】
圧縮機、水冷媒熱交換器、空気冷媒熱交換器、減圧手段を順次接続した閉回路で冷媒を循環させる冷媒循環回路と、前記水冷媒熱交換器で加熱された温水を貯蔵する貯湯タンクと、前記貯湯タンクに水を供給する給水管を接続する接続弁と、前記空気冷媒熱交換器に送風するファンと、前記貯湯タンクに水を供給する給水管を接続する接続弁と、前記冷媒循環回路と前記貯湯タンクと前記ファンとを一体に収納する筺体とを備え、前記貯湯タンクと前記圧縮機を左右方向に設置し、前記貯湯タンクの前方下部分に前記接続弁を配置し、前記貯湯タンクの形状を四角柱とすることを特徴とするヒートポンプ給湯機。
【請求項２】
空気冷媒熱交換器の少なくとも一部を筐体の後方側に配置し、貯湯タンクの一部が前記空気冷媒熱交換器よりも前記筺体の後方側に突出するように前記貯湯タンクを配置したことを特徴とする請求項１に記載のヒートポンプ給湯機。
【発明の詳細な説明】
【技術分野】
【０００１】
本発明は、圧縮機、水冷媒熱交換器、空気冷媒熱交換器、減圧手段を順次接続した閉回路で冷媒を循環させる冷媒循環回路と、この水冷媒熱交換器で加熱された温水を貯蔵する貯湯タンクとを一つの筐体内に収納するヒートポンプ給湯機に関するものである。
【背景技術】
【０００２】
従来の貯湯式給湯装置では、圧縮機、水冷媒熱交換器、空気冷媒熱交換器、減圧手段を順次接続した閉回路で冷媒を循環させる冷媒循環回路と、この水冷媒熱交換器で加熱された温水を貯蔵する貯湯タンクとを一つの筐体内に収納して構成していた（例えば、特許文献１参照）。
【特許文献１】特開２００５−８３７１２号公報
【発明の開示】
【発明が解決しようとする課題】
【０００３】
ところで、上記のような貯湯式給湯装置では、冷媒循環回路と貯湯タンクが一体に収納されているため、設置のための省スペース化を図ることができ、特に日本の狭小な住宅事情を考慮すると最適な構成といえる。また、狭小な住宅事情を考慮すると、今後も更に小型化した貯湯式給湯装置の需要が高くなると考えられる。そして、筐体の小型化を実現する上で貯湯タンクの小型化が必須となるが、貯湯タンクを小型化するとそれに伴って貯湯タンクの容量が減少するので、湯切れが生じやすくなり、使用者がお湯を使用できない事態が発生しやすくなる。
【課題を解決するための手段】
【０００４】
上記従来の課題を解決するために、本発明の貯湯式給湯装置は、圧縮機、水冷媒熱交換器、空気冷媒熱交換器、減圧手段を順次接続した閉回路で冷媒を循環させる冷媒循環回路と、水冷媒熱交換器で加熱された温水を貯蔵する貯湯タンクと、貯湯タンクに水を供給する給水管を接続する接続弁と、空気冷媒熱交換器に送風するファンと、貯湯タンクに水を供給する給水管を接続する接続弁と、冷媒循環回路と貯湯タンクとファンとを一体に収納する筺体とを備え、貯湯タンクと圧縮機を左右方向に設置し、貯湯タンクの前方下部分に接続弁を配置し、貯湯タンクの形状を四角柱とするものである。
【０００５】
従来のような円筒状の貯湯タンクであれば、筐体内に設置したときに無駄なスペースが発生していたが、貯湯タンクを四角柱とすれば、筐体内に無駄なスペースが生じず、その分貯湯タンクの貯湯容量を増加することができる。そして、その結果として湯切れ等の問題も生じにくくなる。
【発明の効果】
【０００６】
本発明の貯湯式給湯装置は、貯湯タンクの形状を四角柱とするものであり、狭い筐体内であってもヒートポンプ給湯機を構成する部品を無駄なく配置でき、かつ貯湯タンクの容量を増加させることができる。
【発明を実施するための最良の形態】
【０００７】
第１の発明は、圧縮機、水冷媒熱交換器、空気冷媒熱交換器、減圧手段を順次接続した閉回路で冷媒を循環させる冷媒循環回路と、水冷媒熱交換器で加熱された温水を貯蔵する貯湯タンクと、貯湯タンクに水を供給する給水管を接続する接続弁と、空気冷媒熱交換器に送風するファンと、貯湯タンクに水を供給する給水管を接続する接続弁と、冷媒循環回路と貯湯タンクとファンとを一体に収納する筺体とを備え、貯湯タンクと圧縮機を左右方
向に設置し、貯湯タンクの前方下部分に接続弁を配置し、貯湯タンクの形状を四角柱とするヒートポンプ給湯機である。
【０００８】
これによれば、限られた筐体内に空間を有効に活用でき、その分貯湯タンクの容量を増加させることができるので、湯切れ等の問題も生じにくくなる。
【０００９】
また、第２の発明は、特に第１の発明において、空気冷媒熱交換器の少なくとも一部を筐体の後方側に配置し、貯湯タンクの一部が空気冷媒熱交換器よりも筺体の後方側に突出するように貯湯タンクを配置したことを特徴とするもので、貯湯タンクの一部を空気冷媒熱交換器よりも筺体の後方側に突出させることで、仮に筐体を家屋の壁面などに近接させて設置する場合であっても空気冷媒熱交換器への空気通路を確保することができる。
【００１０】
以下、本発明の実施の形態について、図面を参照しながら説明する。なお、この実施の形態によって本発明が限定されるものではない。
【００１１】
（実施の形態１）
以下本発明の一実施例によるヒートポンプ給湯機について説明する。
【００１２】
図１は、本実施例によるヒートポンプ給湯機の概略構成を示す斜視図、図２は同ヒートポンプ給湯機の内部配置を示す正面図、図３は同ヒートポンプ給湯機の平面図、図４は同ヒートポンプ給湯機の別形態の平面図である。
【００１３】
まず、特に図１及び図２を用いて全体構成について説明する。
【００１４】
本実施例によるヒートポンプ給湯機は、筐体１０内部に、冷媒循環回路２０と貯湯タンク３０とを有している。
【００１５】
筐体１０内部は、仕切り板１１によって左右方向に２つの空間が形成され、一方の空間に冷媒循環回路２０が配置され、他方の空間に四角柱の形状である貯湯タンク３０が配置されている。
【００１６】
冷媒循環回路２０は、圧縮機２１、水冷媒熱交換器２２、空気冷媒熱交換器２３、減圧手段（図示せず）を順次接続し、冷媒を循環させる閉回路で構成されている。なお、この冷媒としては二酸化炭素冷媒を用いるものが好ましい。
【００１７】
ここで圧縮機２１及び水冷媒熱交換器２２は、支持板１２上に設置されている。空気冷媒熱交換器２３は、筐体１０の一方の空間の後方面及び側面を覆うように平面視で略Ｌ字状に配置されている。また、筐体１０の一方の空間には、複数のファン２４、２５が配置されている。これらのファン２４、２５によって、空気冷媒熱交換器２３での熱交換を行う。
【００１８】
支持板１２の下面には、筺体１０を設置面に設置するための筺体支持脚１３が設けられている。
【００１９】
また、貯湯タンク３０の下部には、支持板１２との間を連結するタンク支持脚３１が設けられている。
【００２０】
また、貯湯タンク３０の前方下部分に、貯湯タンク３０に水を供給する給水管３２、貯湯タンク３０のお湯を外部に導出する給湯管３３、風呂追い炊き用給湯管３４、及び風呂追い炊き用給水管３５をそれぞれ接続する接続弁３２Ａ、３３Ａ、３４Ａ、３５Ａを配置
している。貯湯タンク３０の前方下部分に位置する支持板１２は、他の面よりも高い位置に設けることで、貯湯タンク３０の前方下部分には、接続弁３２Ａ、３３Ａ、３４Ａ、３５Ａが配置される空間を形成している。なお、図１においては、これらの接続弁３２Ａ、３３Ａ、３４Ａ、３５Ａを省略している。
【００２１】
次に、図３を用いて圧縮機２１、水冷媒熱交換器２２、空気冷媒熱交換器２３、貯湯タンク３０の配置構成について説明する。
【００２２】
圧縮機２１と貯湯タンク３０とは、仕切り板１１の左右方向に設置している。圧縮機２１は圧縮機２１の重心位置２１Ａを筺体１０内の中心１０Ａよりも前方側となるように配置し、貯湯タンク３０は、貯湯タンク３０の重心位置３０Ａを筺体１０内の中心１０Ａよりも後方側となるように配置し、その一部が空気冷媒熱交換器２３よりも筺体１０の後方側に突出するように配置している。
【００２３】
また、圧縮機２１は圧縮機２１の重心位置２１Ａを筺体１０内の中心１０Ａよりも一方側に、貯湯タンク３０は貯湯タンク３０の重心位置３０Ａを筺体１０内の中心１０Ａよりも他方側となるように配置している。
【００２４】
３つの筺体支持脚１３Ａ、１３Ｂ、１３Ｃは、貯湯タンク３０の重心３０Ａを通る左右方向の仮想線３０Ｂよりも後方側の支持板１２に略均等に配置している。なお、筺体支持脚１３Ａは支持板１２の一方側の側部に、筺体支持脚１３Ｂは仕切り板１１の設置位置に重なる位置に、筺体支持脚１３Ｃは支持板１２の他方側の側部にそれぞれ設けている。
【００２５】
２つの筺体支持脚１３Ｄ、１３Ｅは、貯湯タンク３０の重心３０Ａを通る左右方向の仮想線３０Ｂよりも前方側の支持板１２に配置している。なお、筺体支持脚１３Ｄは支持板１２の一方側の側部に、筺体支持脚１３Ｅは貯湯タンク３０の投影面内にそれぞれ設けている。そして、貯湯タンク３０側の筺体支持脚１３Ｅは、圧縮機２１Ａ側の筺体支持脚１３Ｄよりも後方位置に設けている。また、３つの筺体支持脚１３Ｂ、１３Ｃ、１３Ｅは、貯湯タンク３０の支持板１２への投影面内に少なくとも筺体支持脚１３Ｂ、１３Ｃ、１３Ｅの一部が位置するように配置している。また、２つの筺体支持脚１３Ａ、１３Ｄは、水冷媒熱交換器２２の支持板１２への投影面内に少なくとも筺体支持脚１３Ａ、１３Ｄの一部が位置するように配置している。
【００２６】
以上のように本実施例によれば、貯湯タンク３０の形状を四角柱としているので、限られた筐体内に空間を有効に活用でき、その分貯湯タンク３０の容量を増加させることができるので、湯切れ等の問題も生じにくくなる。
【００２７】
また、本実施例によれば、空気冷媒熱交換器２３の少なくとも一部を筐体１０の後方側に配置し、貯湯タンク３０の一部が空気冷媒熱交換器２３よりも筺体１０の後方側に突出するように貯湯タンク３０を配置したことを特徴とするもので、貯湯タンク３０の一部を空気冷媒熱交換器２３よりも筺体の後方側に突出させることで、仮に筐体１０を家屋の壁面などに近接させて設置する場合であっても空気冷媒熱交換器２３への空気通路を確保することができる。
【００２８】
また、本実施例によれば、貯湯タンク３０の重心を通る左右方向の仮想線３０Ｂよりも後方側に、３つの筺体支持脚１３Ａ、１３Ｂ、１３Ｃを略均等に配置するとともに、仮想線３０Ｂよりも前方側に筺体支持脚１３Ｄ、１３Ｅを配置し、筺体支持脚１３Ｅを筺体支持脚１３Ｄよりも後方位置に設けることで、貯湯タンク３０の貯湯時には、筺体支持脚１３Ｂ、１３Ｃ、１３Ｅを主として筺体１０を支持でき、貯湯タンク３０の非貯湯時には、筺体支持脚１３Ａ、１３Ｃ、１３Ｄ、１３Ｅを主として筺体１０を支持することができる
。
【００２９】
また、貯湯タンク３０の重心位置３０Ａを筺体１０内の中心１０Ａよりも後方側となるように貯湯タンク３０を配置することで、筐体１０の前方側に空間を形成しやすくなり、給水管３２などの配管接続や配管の引き回しを容易に行える。
【００３０】
なお、図３以外の形態では図４に示すように貯湯タンク３０の前方側に凸部５０を設け、この凸部５０に接続配線や配管接続を引き回しするようにすると、筐体１０内において接続配線や配管接続類を最小限のスペースで収めることができ、かつ貯湯タンク３０の容量を更に増加できる。また、図４のように凸部５０により容量が増加するので、貯湯タンク３０の一部を空気冷媒熱交換器２３よりも筺体１０の後方側に突出させることなる一定容量を確保できるし、また凸部５０を設けつつ貯湯タンク３０の一部を空気冷媒熱交換器２３よりも筺体１０の後方側に突出させる構成でもよい。
【産業上の利用可能性】
【００３１】
本発明は、お風呂への給湯、沸き上げ機能を備えたヒートポンプ給湯機の他、暖房、乾燥機能を備えたヒートポンプ給湯機として利用することができる。
【図面の簡単な説明】
【００３２】
【図１】本実施の形態の貯湯式給湯装置の斜視図
【図２】本実施の形態の構成図
【図３】本実施の形態の貯湯式給湯装置の平面図
【図４】本実施の形態の貯湯式給湯装置の別形態の平面図
【符号の説明】
【００３３】
１０  筺体
１２  支持板
１３Ａ、１３Ｂ、１３Ｃ、１３Ｄ、１３Ｅ  筺体支持脚
２０  冷媒循環回路
２１  圧縮機
２２  水冷媒熱交換器
２３  空気冷媒熱交換器
３０  貯湯タンク
３０Ａ  重心
３０Ｂ  仮想線
３２  給水管
３２Ａ、３３Ａ、３４Ａ、３５Ａ  接続弁
５０  凸部
【図１】
2007183054.tif 000003
【図２】
2007183054.tif 000004
【図３】
2007183054.tif 000005
【図４】
2007183054.tif 000006